(57)【要約】      （修正有）【課題】駅・店舗内外や街中に設置して無料情報誌を収納するラックにおいて、配布物以外にも、動画提供スペース及び電子データ提供スペースから様々な情報・クーポン・ポイント・楽曲等が入手可能なラックを提供する。【解決手段】多機能ラック１０は、屋内用の多機能ラックであって、不特定多数への提供を目的とした提供物を提供するための多機能ラックである。この多機能ラック１０は、提供物を提供する提供スペースを備えており、その提供スペースは、動画提供スペース２０，電子データ提供スペース３０，配布物提供スペース４０に区分けされている。【選択図】図１
2009297156.tif 000002
【特許請求の範囲】
【請求項１】
屋内・屋外に設置し、不特定多数への提供を目的とした提供物を提供するための多機能ラックであって、
提供物を提供する提供スペースが、提供物を動画として提供する動画提供スペース又は／及び提供物を電子データとして提供する電子データ提供スペースで複数に区分けされていることを特徴とする多機能ラック。
【請求項２】
提供物を提供する提供スペースとして、さらに提供物を配布物として提供する配布物提供スペースを備えていることを特徴とする請求項１記載の多機能ラック。
【請求項３】
動画提供スペースには、動画出力画面を有する動画提供用薄型ボードを備えたことを特徴とする請求項１又は２記載の多機能ラック。
【請求項４】
電子データ提供スペースには、ＲＦＩＤ機能を備えた携帯端末を予め指定したＵＲＬへアクセスさせるＲＦＩＤ用リーダ・ライタ端末を有する電子データ提供用薄型ボードを備えたことを特徴とする請求項１から３のいずれかに記載の多機能ラック。
【請求項５】
配布物を取り出し自由に収容した既存のラックに、動画提供用薄型ボード又は／及び電子データ提供用薄型ボードを取り付けたことを特徴とする請求項１から４のいずれかに記載の多機能ラック。
【請求項６】
各提供スペースに、開閉自在の扉を備えたことを特徴とする請求項１から４のいずれかに記載の多機能ラック。
【発明の詳細な説明】
【技術分野】
【０００１】
本願発明は、屋内・屋外に設置し、不特定多数への提供を目的とした提供物を提供するための多機能ラックに関するものである。
【背景技術】
【０００２】
従来、無料情報誌（いわゆるフリーペーパー）は、駅・店舗内外や街中に設置された専用ラック（無料情報誌配布用ラック）に収納され、そこから自由に配布されていた。
【０００３】
この専用ラックについて、単に配布物（無料情報誌等）を収容するだけの従来のラックとは異なる新規なラックが、本願出願人によって特許文献１として開示されている。この特許文献１に開示されたラックは、図４に示すように、単一の収容スペース２１を備えた収容体２０からなる配布用システムラック１０である。収容体２０はユニット化されており、図示するように縦方向へ連結できる組立て自在な構造となっている。また、収容体２０は、広告スペース２２を備えるとともに、横枠２３を青色に縦枠２４を赤色にカラーリングされている。
【特許文献１】特開２００７−８９７３９号公報
【発明の開示】
【発明が解決しようとする課題】
【０００４】
上記した特許文献１に係るラック（配布用システムラック）は、単に配布物を収容していれば良いというものではなく、ラックによってそこに収容されている配布物の配布率が向上したり、逆に、同じ配布物であっても、ラックによっては配布率が低調となるという点に着目し、単に配布物を収容するだけの従来のラックとは異なる新規なラックを提供したものである（特許文献１明細書［０００５］及び［０００６］）。
【０００５】
そして、本願発明者は、この特許文献１に係るラック（配布用システムラック）を進化させることを目的として、本願発明を完成させるに至った。
【課題を解決するための手段】
【０００６】
本願発明の第１の発明は、屋内・屋外に設置し、不特定多数への提供を目的とした提供物を提供するための多機能ラックであって、提供物を提供する提供スペースが、提供物を動画として提供する動画提供スペース又は／及び提供物を電子データとして提供する電子データ提供スペースで複数に区分けされていることを特徴とするものである。
第２の発明は、提供物を提供する提供スペースとして、さらに提供物を配布物として提供する配布物提供スペースを備えていることを特徴とする同多機能ラックである。
第３の発明は、動画提供スペースには、動画出力画面を有する動画提供用薄型ボードを備えたことを特徴とする同多機能ラックである。
第４の発明は、電子データ提供スペースには、ＲＦＩＤ機能を備えた携帯端末を予め指定したＵＲＬへアクセスさせるＲＦＩＤ用リーダ・ライタ端末を有する電子データ提供用薄型ボードを備えたことを特徴とする同多機能ラックである。
第５の発明は、配布物を取り出し自由に収容した既存のラックに、動画提供用薄型ボード又は／及び電子データ提供用薄型ボードを取り付けたことを特徴とする同多機能ラックである。
第６の発明は、各提供スペースに、開閉自在の扉を備えたことを特徴とする同多機能ラックである。
【発明の効果】
【０００７】
本願発明に係る多機能ラックには、次のような効果を有する。
（１）従来、ラックからはそこに配布（収容）されている提供物、すなわち無料情報誌等の配布物の情報・クーポン等しか入手できなかった。しかし、多機能ラックでは配布物以外にも、動画提供スペース及び電子データ提供スペースから様々な情報・クーポン・ポイント・楽曲等が入手でき、ラックから提供される提供物の量・範囲が格段に増加する。特に、無料情報誌等の発行元は、モバイルサイト等を有していることが多く、この多機能ラックを用いることで、無料情報誌等のユーザーをモバイルサイトへ誘導しやすくなる。
（２）従来よりラックによって配布（収容）できる配布物の数には限りがある。しかし、多機能ラックでは動画提供スペース及び電子データ提供スペースを備えることで、配布物の不足を補うことができる。
（３）従来、配布物の発行・配布（収容）に時間・労力・コスト等がかかっていた。しかし、多機能ラックでは動画提供スペース及び電子データ提供スペースを備えることで、配布物の比率を抑制できるとともに、提供物の更新・変更の容易な動画・電子データの提供（例：遠隔操作によるデータの更新・変更）を備えることで、時間・労力・コスト等を減らすことができる。その結果、二酸化炭素の排出量を抑制することにもつながる。
（４）従来、特に屋外ラックに収容されている配布物は劣化しやすかった。しかし、多機能ラックでは動画提供用薄型ボードや電子データ提供用薄型ボードを備えることで、情報提供媒体の劣化を防止できる。また、多機能ラックでは開閉自在の扉を備えることで、配布物の劣化を防止できる。
（５）従来、配布物の収容のためにはある程度の広さのスペースは必要であり、小スペースを有効活用できない場合もあった。しかし、多機能ラックではスペースの制約の少ない動画提供スペース及び電子データ提供スペースを備えることで、小スペースを有効活用できる。
（６）従来、ラックに収容した配布物の正確な配布先・配布数は分からずマーケティング情報を入手しづらかった。しかし、多機能ラックでは特に電子データ提供スペースでの提供において双方向のやりとりがあるので、マーケティング情報を入手しやすくなる。
（７）多機能ラックでは、既存のインフラ（ラック）を使用でき、効率的である。
【発明を実施するための最良の形態】
【０００８】
本発明の実施形態を図面に基づいて説明する。
図１は、本願発明の第１実施形態を示す説明図である。
図１に示す多機能ラック１０は、屋内用の多機能ラックであって（但し、屋外に使用することも可）、不特定多数への提供を目的とした提供物を提供するための多機能ラックである。この多機能ラック１０は、提供物を提供する提供スペースを備えており、その提供スペースは、提供媒体によって次のように区分けされている。
・動画提供スペース２０：提供物を動画として提供する提供スペース
・電子データ提供スペース３０：提供物を電子データとして提供する提供スペース
・配布物提供スペース４０：提供物を配布物として提供する提供スペース
【０００９】
動画提供スペース２０には、ディスプレイ等の動画出力画面２２を有する動画提供用薄型ボード２１を備えて、不特定多数へ「動画の配信」という提供物を提供する。そして、動画提供用薄型ボード２１に通信機能を持たせることで、リモートによる「動画の配信」を可能とし、動画配信に係る負担（時間・労力・コスト等）を極めて低減できる。また、従来のラックで配布物（無料情報誌等）を収容していたスペースに、この「動画提供用薄型ボード２１」を嵌め込むことで、簡単に動画提供スペースへ変更することができる。
【００１０】
図２は、多機能ラック１０の電子データ提供スペース３０を説明する説明図である。
電子データ提供スペース３０には、ＲＦＩＤ機能を備えた携帯端末を予め指定したＵＲＬへアクセスさせるＲＦＩＤ用リーダ・ライタ端末を有する電子データ提供用薄型ボード３１を備えて、不特定多数へ「電子データ」という提供物を提供する。すなわち、ＲＦＩＤ機能を備えた携帯端末（例：「おサイフケータイ」登録商標）５０を電子データ提供用薄型ボード３１のＲＦＩＤ用リーダ・ライタ端末の内蔵されたタッチ部分３２にかざすと、自動的に指定ＵＲＬの情報が携帯端末５０に取り込まれ、モバイルサイト５１にアクセスできる。これによって、不特定多数へ配布物に代替する「電子データ」が提供される。
【００１１】
ここで、従来より、ＱＲコードからのモバイルサイトへのアクセスは存在するが、この場合バーコードリーダーを立ち上げる必要があった。これに対して、電子データ提供スペース３０では、携帯端末５０をかざすだけで、ダイレクトにモバイルサイトへアクセスでき、作業性が極めて優れている。なお、動画提供用薄型ボード２１と同様に、電子データ提供用薄型ボード３１に通信機能を持たせることで、リモートによる指定ＵＲＬの変更を可能とする。また、従来のラックで配布物（無料情報誌等）を収容していたスペースに、この「電子データ提供用薄型ボード３１」を嵌め込むことで、簡単に電子データ提供スペースへ変更することができる。
【００１２】
図３は、本願発明の第２実施形態を示す説明図である。
図３に示す多機能ラック１５は、屋外用（全天候型）多機能ラックであって（但し、屋内に使用することも可）、不特定多数への提供を目的とした提供物を提供するための多機能ラックであり、提供物を提供する提供スペース（動画提供スペース２０，電子データ提供スペース３０，配布物提供スペース４０）を備えている点は、全て屋内用多機能ラック１０と同じである。屋内用多機能ラック１０と異なる点は、ラック全体がボックス型になっており、各提供スペース２０，３０，４０に、開閉自在の扉１６を備えているところである。この開閉自在の扉１６を備えることで、全天候型の多機能ラックでありながら、各提供スペース２０，３０，４０からの提供物の入手が容易に行える。
【産業上の利用可能性】
【００１３】
本発明は、屋内・屋外に設置し、不特定多数への提供を目的とした提供物を提供するための多機能ラックとして、幅広く利用できるものである。特に、従来のラックと異なり、様々なスペースに対応できるので（狭いスペース、気象条件の厳しいスペース、等々）、従来のラックが設置不適当なロケーション（設置場所）にも設置でき、最適なロケーションをオリジナルに抽出することが可能である。
【図面の簡単な説明】
【００１４】
【図１】本願発明の第１実施形態を示す説明図（その１）。
【図２】本願発明の第１実施形態を示す説明図（その２）。
【図３】本願発明の第２実施形態を示す説明図。
【図４】従来技術（特許文献１）を示す説明図。
【符号の説明】
【００１５】
１０  多機能ラック（室内用）    １５  多機能ラック（室外用）    １６  扉
２０  動画提供スペース    ２１  動画提供用薄型ボード    ２２  動画出力画面
３０  電子データ提供スペース    ３１  電子データ提供用薄型ボード
３２  タッチ部分
４０  配布物提供スペース
５０  ＲＦＩＤ機能を備えた携帯端末    ５１  モバイルサイト
【図１】
2009297156.tif 000003
【図２】
2009297156.tif 000004
【図３】
2009297156.tif 000005
【図４】
2009297156.tif 000006